(57)【要約】【課題】緑化面積と太陽光発電パネルの受光面積の両方を十分に確保できる建物取付構造物を提供する。【解決手段】建物１の外面に沿って緑化構造体１２を設け、その緑化構造体１２の緑化面に対向する位置にシースルー型太陽光発電パネル４１を固定する。これにより、緑化構造体１２とシースルー型太陽光発電パネル４１とを互いに異なる平面上に配置し、太陽光をシースルー型太陽光発電パネル４１に受光させるとともに、シースルー型太陽光発電パネル４１を透過した太陽光を緑化構造体１２に供給する。【選択図】図１
2010174439.tif 000002
【特許請求の範囲】
【請求項１】
建物の外面に取り付けられる建物取付構造物であって、
緑化面を有する緑化構造体と、
光透過性を有するシースルー型太陽光発電パネルと、
前記太陽光発電パネルを支持する支持体とを備え、
前記緑化構造体は、建物の外面に沿って設けられ、
前記支持体は建物に固定され、前記太陽光発電パネルを緑化面に対向する位置に、かつ緑化面から間隔をあけて支持することを特徴とする建物取付構造物。
【請求項２】
前記緑化構造体と前記シースルー型太陽光パネルとの間に散水を行う散水手段を有することを特徴とする請求項１に記載の建物取付構造物。
【請求項３】
前記支持体は、
前記建物に基端部が固定され、先端部が前記緑化構造体から突出される本体部材からなり、
該本体部材の先端部に回動自在な支持軸が設けられ、該支持軸が前記シースルー型太陽光パネルに固定されることを特徴とする請求項１または２に記載の建物取付構造物。
【請求項４】
前記本体部材は、前記緑化構造体から突出され、且つ前記緑化面に対向する位置に支持されたシースルー型太陽光パネルの側端辺に沿って延在された縦壁部を有し、前記縦壁部には開口穴または溝が穿設されていることを特徴とする請求項３に記載の建物取付構造物。
【請求項５】
前記縦壁部には、前記シースルー型太陽光発電パネルの側端辺を載置するパネル支持部を有することを特徴とする請求項３または４に記載の建物取付構造物。
【請求項６】
前記支持体は、
前記建物に基端部が固定され、前記緑化構造体から突出する先端部に回動自在な支持軸が設けられ、該支持軸によって前記シースルー型太陽光発電パネルの一端部を回動自在に支持する一方端部側支持部材と、
該一方端部側支持部材から所定距離だけ離間した位置に設けられ、基端部が前記建物に固定され、前記緑化構造体から突出する先端部に前記シースルー型太陽光発電パネルの側端辺を載置するパネル支持部材を有する他方端部側支持部材と、を有することを特徴とする請求項１または２に記載の建物取付構造物。
【請求項７】
前記請求項１から請求項６のいずれか一つに記載の建物取付構造物に用いられる支持体。
【発明の詳細な説明】
【技術分野】
【０００１】
本発明は、例えば屋上や屋根、外壁等の、建物の外側に沿って予め設定された面積に亘って取り付けられる建物取付構造物および支持体に関する。
【背景技術】
【０００２】
従来より、太陽エネルギーを発電目的で利用するために、建物に太陽光発電システムを取り付けることが行われている。太陽光発電システムは、太陽電池セルが内蔵された太陽光発電パネルを建物の屋上や、屋根、外壁に沿ってその全面または一部に亘って配列するように取り付けて、太陽光発電パネルにて太陽光を受光することによって発電を行っている。
【０００３】
また、地球温暖化の原因とされている温室効果ガスを削減することを目的とし、さらに法律等に基づく緑化面積を確保することを目的として、建物の屋根や外壁を緑化することが行われている。例えば平滑な屋根面を緑化する場合には、屋根面に直接緑化構造体を設けて緑化し、また、折板屋根のような非平滑面の屋根面を緑化する場合には、屋根面に基盤材を敷設して平滑化した上に緑化構造体を設けて緑化を行っている。
【０００４】
太陽光発電は、太陽光が直接照射されることにより発電が行われる。一方、緑化植物は、太陽光を受けることにより成長する。従って、太陽光発電システムと緑化構造体は、屋根、および壁面において並列に並べて配列される。
【０００５】
例えば特許文献１には、建築物の屋根面に太陽電池パネルと植栽パネルとを並べて敷設する技術が示されている。かかる技術によれば、屋根面には、植栽パネルが占める領域と太陽電池パネルが占める領域が形成され、屋根面緑化と太陽光発電の両方を行うことができる。
【０００６】
そして、特許文献２には、太陽電池と拡散レンズが並んで配列されたパネルで地表面を覆い、地表面の植物に照射される太陽光の光量をパネルの拡散レンズで調整する技術が示されている。
【先行技術文献】
【特許文献】
【０００７】
【特許文献１】特開２００５−２８２２１１号公報
【特許文献２】特開平６−２２５６４７号公報
【発明の概要】
【発明が解決しようとする課題】
【０００８】
しかしながら、特許文献１のように、太陽電池パネルと植栽パネルを同一平面上に並べて敷設する場合、建築物の屋根面積や壁面積には限りがあることから、植栽パネルの領域を増やして緑化面積を増大すれば太陽電池パネルの領域が減ってシステム全体の発電容量が減少し、また、太陽電池パネルの領域を増やしてシステム全体の発電容量を増大すれば植栽パネルの領域が減って全体の緑化面積が減少するという問題がある。
【０００９】
また、特許文献２の場合、パネルには太陽電池と拡散レンズが並んで配列されているので、太陽電池をパネル全面に亘って設けることができず、発電量を増大させることができないという問題がある。
【００１０】
本発明は、上記の点に鑑みてなされたものであり、その目的とするところは、緑化面積と太陽光発電パネルの受光面積の両方を十分に確保できる建物取付構造物および支持体に関する。
【課題を解決するための手段】
【００１１】
上記課題を解決する本発明の建物取付構造物は、建物の外面に取り付けられる建物取付構造物であって、緑化面を有する緑化構造体と、光透過性を有するシースルー型太陽光発電パネルと、太陽光発電パネルを支持する支持体とを備え、緑化構造体は、建物の外面に沿って設けられ、支持体は建物に固定され、太陽光発電パネルを緑化面に対向する位置に、かつ緑化面から間隔をあけて支持することを特徴としている（請求項１）。
【００１２】
本発明によれば、緑化構造体が建物の外面に沿って設けられ、支持体が建物に固定され、シースルー型太陽光発電パネルが緑化面に対向する位置にかつ緑化面から間隔をおいて支持されるので、太陽光をシースルー型太陽光発電パネルに受光させるとともに、シースルー型太陽光発電パネルを透過した太陽光を緑化構造体の緑化面に供給することができる。
【００１３】
従って、太陽光発電パネルと緑化構造体とが互いに干渉することなく、建物の外面で且つ予め設定された範囲の全面に亘ってそれぞれ設置することができ、緑化面積と太陽光発電パネルの受光面積の両方を十分に広く確保することができる。
【００１４】
また、本発明の建物取付構造物は、緑化構造体とシースルー型太陽光パネルとの間に散水を行う散水手段を有する構成とすることが好ましい（請求項２）。
これによれば、緑化構造体に水を供給することができ、緑化構造体の植物を育成することができる。そして、散水された水を緑化構造体とシースルー型太陽光パネルとの間で蒸散させることができ、建物の外面の温度を低下させることができる。
【００１５】
また、散水された水をシースルー型太陽光パネルに付着させて、シースルー型太陽光パネルを冷却することができ、シースルー型太陽光パネルの温度上昇による発電効率の低下を防ぐことができる。
【００１６】
また、本発明の建物取付構造物において、支持体は、建物に基端部が固定され、先端部が緑化構造体から突出される本体部材からなり、本体部材の先端部に回動自在な支持軸が設けられ、支持軸がシースルー型太陽光パネルに固定されることが好ましい（請求項３）。
上記構成によれば、本体部材に対して支持軸を回動させることができ、建物に対するシースルー型太陽光発電パネルの角度を変更することができる。
【００１７】
また、本発明の建物取付構造物において、本体部材は、緑化構造体から突出され、且つ緑化面に対向する位置に支持されたシースルー型太陽光パネルの側端辺に沿って延在された縦壁部を有し、縦壁部には開口穴または溝が穿設されている構成としてもよい（請求項４）。
上記構成によれば、緑化構造体とシースルー型太陽光発電パネルとの間に形成される空間部が本体部材の縦壁部によって遮断されるのを防ぐことができ、空間部の通気性を確保することができる。
【００１８】
本発明の建物取付構造物において、縦壁部には、シースルー型太陽光発電パネルの側端辺を載置するパネル支持部を有する構成としてもよい（請求項５）。
上記構成によれば、シースルー型太陽光発電パネルの側端辺をパネル支持部に載置することができ、建物に対してシースルー型太陽光発電パネルを位置決め保持することができる。
【００１９】
本発明の建物取付構造物において、好ましくは、支持体は、建物に基端部が固定され、緑化構造体から突出する先端部に回動自在な支持軸が設けられ、支持軸によってシースルー型太陽光発電パネルの一端部を回動自在に支持する一方端部側支持部材と、一方端部側支持部材から所定距離だけ離間した位置に設けられ、基端部が建物に固定され、緑化構造体から突出する先端部にシースルー型太陽光発電パネルの側端辺を載置するパネル支持部材を有する他方支持端部側支持部材とを有する構成としてもよい（請求項６）。
【００２０】
上記構成によれば、一方端部側支持部材によってシースルー型太陽光発電パネルの一端部が回動自在に支持されているので、建物に対してシースルー型太陽光発電パネルを回動させることができる。そして、他方端部側支持部材によってシースルー型太陽光発電パネルの側端辺を載置するので、シースルー型太陽光発電パネルを位置決め保持することができる。
【発明の効果】
【００２１】
本発明によれば、建物の外側に沿って緑化構造体が設けられ、その緑化構造体の外側にシースルー型太陽光発電パネルが対向して配置されるので、太陽光をシースルー型太陽光発電パネルに受光させるとともに、シースルー型太陽光発電パネルを透過した太陽光を緑化構造体に供給することができる。
【００２２】
従って、太陽光発電パネルと緑化構造体とが互いに干渉することなく、予め設定された範囲の全面に亘ってそれぞれ設置することができる。従って、緑化面積と太陽光発電パネルの受光面積の両方を十分に広く確保することができる。
【図面の簡単な説明】
【００２３】
【図１】第１実施の形態における建物取付構造物の取付状態を示す断面図。
【図２】図１のＩ−Ｉ線矢視図。
【図３】第１実施の形態における支持体の構成を説明する斜視図。
【図４】第２実施の形態における支持体の構成を説明する斜視図。
【発明を実施するための形態】
【００２４】
［第１実施の形態］
次に、本発明の第１実施の形態について図を用いて以下に説明する。
図１は、第１実施の形態における建物取付構造物の取付状態を示す断面図であり、屋根勾配方向に直交する断面を示す図、図２は、図１のＩ−Ｉ線矢視図である。
本実施の形態は、建物の外面である折板屋根Ｒの上に、建物取付構造物１０を取り付ける場合を例に説明するものである。
【００２５】
折板屋根Ｒは、金属製の薄板部材を折り曲げて断面が略コ字状に形成された長尺状の屋根板１を、梁５の上に取り付けられたタイトフレーム６の上に載せて、隣の屋根板１の互いに重なり合う端縁部同士をボルト結合し、タイトフレーム６にボルト止めすることによって固定されており、屋根勾配方向に走る複数の山形部３を有し、各山形部３は、屋根勾配方向に交差する方向である屋根横幅方向に所定のピッチ間隔をおいて連続して形成されている。また、各山形部３の頭頂部２は、平坦面になっている。
【００２６】
折板屋根Ｒの上には、可燃性材料からなる合成樹脂発泡材１１が敷き詰められて平面状に延在し、折板屋根Ｒの上面が平滑化されている。合成樹脂発泡材１１は、一対の山形部３の頭頂部２間に亘って架設される横幅と、山形部３の頭頂部２に沿って延在する縦幅を有する平面視略矩形状を有している。合成樹脂発泡材１１は、図示していない固定手段によって折板屋根Ｒの上に固定されており、折板屋根Ｒとの間に、屋根勾配方向に沿って延在する溝状の空間部（溝状空間部）Ａ１を形成している。
【００２７】
合成樹脂発泡材１１の上には、緑化構造体１２が設けられている。緑化構造体１２は、合成樹脂発泡材１１の上に敷設される保水排水基盤材１３と、保水排水基盤材１３の上に被せられる透水シート１４と、透水シート１４の上に敷設される植生マット１５とからなる。保水排水基盤材１３は、複数個が屋根勾配方向及び屋根横幅方向に互いに密接するように配置される。これら保水排水基盤材１３群は、後述する支持体３１によって周囲を取り囲まれており、各支持体３１を折板屋根Ｒに固定することによって保水排水基盤材１３の安定化を図っている。
【００２８】
各保水排水基盤材１３は、可燃性材料によって構成されており、本実施の形態では、全体が発泡樹脂（例えば発泡ポリスチレン）で構成された一体成形品である。保水排水基盤材１３は、合成樹脂発泡材１１と略同一の横幅（図１を参照）と、合成樹脂発泡材１１の縦幅の半分に設定された縦幅（図２を参照）を有しており、上面には周壁で囲まれた保水用凹部２１が形成され、その保水用凹部２１内に複数本の支柱２２が立設された構成を有している。
【００２９】
植生マット１５は、植物の根が絡み合うことによって土壌を保持してなるものであり、上面には、地披植物が植栽された緑化面が形成されている。植生マット１５は、重量物であり、その重量により、先に取り付けた透水シート１４を下方に押しつけ、支柱２２によって下方から支持された状態となり、図１に示すように、全体として波の打った状態、すなわち下に凸である複数個の大きな湾曲面を備えた状態となる。その状態で、透水シート１４と保水排水基盤材１３との間に間隙を形成し、植物の根の呼吸に必要な空気を確保している。
【００３０】
緑化構造体１２の上方には、シースルー型太陽光発電パネル４１が対向して配置されている。シースルー型太陽光発電パネル４１は、入射した光の一部を透過させることができるものであり、例えば特開２００６−１７３４１２号公報に示されるように、透光性基板の上に、透明導電層、光電変換層、裏面電極層が順番に積層された既知の構成を有している。
【００３１】
シースルー型太陽光発電パネル４１は、その横幅が折板屋根Ｒの一対の山形部３間の距離に等しい平面視略矩形の平板形状を有しており、折板屋根Ｒの勾配方向に沿って延在するように、支持体３１を介して折板屋根Ｒに支持されている。
【００３２】
支持体３１は、シースルー型太陽光パネル４１を揺動可能に支持し、緑化構造体１２に対向して延在するセット位置と、緑化構造体１２に対して交差する方向に延在するメンテナンス位置に選択的に配置可能な構成を有している。
【００３３】
図３は、支持体３１の構成を説明する斜視図である。支持体３１は、例えばアルミニウム合金やスチール材によって構成されており、折板屋根Ｒの上で屋根勾配方向に延在するように取り付けられている。
【００３４】
支持体３１は、図１および図３に示すように、折板屋根Ｒに基端部が固定されて先端部が緑化構造体１２よりも上方の高さ位置まで突出する本体部材３２と、本体部材３２の先端部に支持軸を介して回動可能に支持され、シースルー型太陽光パネル４１が固定されるパネル支持部３３と、緑化構造体１２の保水排水基盤１３を支持する基盤支持部３４を有している。
【００３５】
本体部材３２は、シースルー型太陽光パネル４１の側端辺４１ａに沿って延在する縦壁部３２ａと、縦壁部３２ａの下端で折曲されて側方に突出する基端部３２ｂとからなる断面が略Ｌ字状の板部材によって構成されている。本体部材３２は、折板屋根Ｒの上に載せて基端部３２ｂを山形部３の頭頂部２に接面させた状態でボルト固定され、緑化構造体１２とシースルー型太陽光パネル４１との間の空間部Ａ２を屋根横幅方向に仕切り、複数の領域に区画している。
【００３６】
本体部材３２の縦壁部３２ａには、複数の開口穴３２ｃが穿設されている。これら複数の開口穴３２ｃは、緑化構造体１２とシースルー型太陽光発電パネル４１との間の高さ位置に設けられており、縦壁部３２ａによって空間部Ａ２が遮断されるのを防ぎ、空間部Ａ２の通気性を確保することができる。開口穴３２ｃは、縦壁部３２ａに真円状に開口する形状を有しているが、空間部Ａ２の通気性を確保できる形状のものであればよく、開口穴３２ｃの代わりに溝を設けてもよい。
【００３７】
パネル支持部３３は、屋根横幅方向に離間して設けられた図示していない他の支持体３１のパネル支持部３３と対をなして、シースルー型太陽光発電パネル４１の長手方向（屋根勾配方向）に沿って延在する側端辺４１ａを支持する構成を有している。
【００３８】
パネル支持部３３は、本体部材３２の縦壁部３２ａに沿って縦壁部３２ａの先端部に設けられており、支持軸３５を介して縦壁部３２ａに回動可能に支持されている。パネル支持部３３は、例えば縦片と横片を有する断面がＬ型のアングル材によって構成されており、シースルー型太陽光発電パネル４１の側端辺４１ａとほぼ同一の長さを有している。
【００３９】
そして、縦片が本体部材３２の縦壁部３２ａに沿って延在し、横片が縦片の下端から側方（屋根横幅方向）に向かって突出する状態で、縦片の前端部が支持軸３５を介して縦壁部３２ａにピン結合されている。
【００４０】
従って、パネル支持部３３は、縦壁部３２ａの後部に突設された支持部３２ｄの上に、パネル支持部３３の後端部を載せることによって、シースルー型太陽光発電パネル４１を図２に実線で示すように、本体部材３２の長手方向に沿った姿勢状態であるセット位置に支持することができる。
【００４１】
そして、パネル支持部３３を回動させてパネル支持部３３の後端部を上方に持ち上げることにより、シースルー型太陽光発電パネル４１を揺動させて、図２に二点鎖線で示すように、緑化構造体１２に対して交差する方向に延在し、ほぼ垂直に起立した姿勢状態であるメンテナンス位置に支持することができる。
【００４２】
基盤支持部３４は、縦壁部３２ａの略中央高さ位置で本体部材３２の長手方向に沿って延在して設けられており、本体部材３２を折板屋根Ｒに取り付けた状態で保水排水基盤材１３の上面に対向する突出片３４ａを有している。この突出片３４ａと山形部３の頭頂部２との間に保水排水基盤材１３の側端部を上下に挟持することによって、保水排水基盤材１３を折板屋根Ｒの上に固定することができる。なお、基盤支持部３４は、本発明の必須の構成要素ではなく、省略することもできる。
【００４３】
尚、本実施の形態では、支持体３１が本体部材３２の縦壁部３２ａの両面にパネル支持部３３および基盤支持部３４を有する構成の場合について説明しているが、支持体３１を保水排水基盤材１３群の周囲を取り囲む見切り材として用いる場合には、縦壁部３２ａの片面にのみパネル支持部３３および基盤支持部３４を設けた構成としてもよい。
【００４４】
図１および図２で符号５１は、散水パイプであり、散水パイプ５１は、図示していない供給水源から水の供給を受けると、その水を噴出あるいは染み出しによって周囲に撒き散らす構成を有している。散水パイプ５１は、緑化構造体１２とシースルー型太陽光パネル４１との間に位置するように配設されており、本実施の形態では、シースルー型太陽光発電パネル４１の裏面４２に沿って屋根横幅方向に延在しかつ屋根勾配方向に所定間隔をおいて複数本が連続するように設けられている。
【００４５】
散水パイプ５１から空間部Ａ２内に散水された水は、緑化構造体１２の植生マット１５に供給される。従って、定期的に散水させて植物に給水させ、植物を育成させることができる。
【００４６】
また、散水された水は、緑化構造体１２とシースルー型太陽光発電パネル４１との間で蒸散することにより、折板屋根Ｒの温度を低下させることができる。従って、折板屋根Ｒへの日照による温度上昇を抑制することができる。また、散水された水は、空間部Ａ２でシースルー型太陽光発電パネル４１の裏面４２に付着して、シースルー型太陽光発電パネル４１を冷却することができる。従って、日照によるシースルー型太陽光発電パネル４１の温度上昇を抑え、発電効率の低下を防ぐことができる。
【００４７】
上述の合成樹脂発泡材１１、緑化構造体１２、シースルー型太陽光発電パネル４１、支持体３１、散水パイプ５１によって建物取付構造物１０が構成される。尚、合成樹脂発泡材１１および散水パイプ５１は、建物取付構造物１０を構成する必須の構成要素ではなく、設置場所の状況等に応じて省略することもできる。
【００４８】
上記した建物取付構造物１０によれば、建物の外面である折板屋根Ｒの上に沿って緑化構造体１２が設けられ、その緑化構造体１２の緑化面に対向する位置である緑化構造体１２の上方に、シースルー型太陽光発電パネル４１が配置されるので、太陽光をシースルー型太陽光発電パネル４１に受光させるとともに、シースルー型太陽光発電パネル４１を透過した太陽光を緑化構造体１２に供給することができる。
【００４９】
従って、シースルー型太陽光発電パネル４１と緑化構造体１２とが互いに干渉することなく、折板屋根Ｒの全面に亘ってそれぞれ設置することができ、緑化面積と太陽光発電パネル４１の受光面積の両方を十分に広く確保することができる。
【００５０】
また、緑化構造体１２の緑化面に対向する位置にシースルー型太陽光パネル４１を設けることによって、緑化構造体１２の緑化面が外部に直接曝されるのを防ぐことができ、植物の育成に最適な安定した環境を形成することができる。
【００５１】
支持体３１は、シースルー型太陽光発電パネル４１を揺動可能に支持し、緑化構造体１２に対向して延在するセット位置と、緑化構造体１２に対して交差する方向に延在するメンテナンス位置のいずれか一方に選択的に配置する構成を有している。従って、セット位置からメンテナンス位置に移動させることによって、緑化構造体１２を外部に露出させることができる。従って、シースルー型太陽光発電パネル４１を支持体３１から取り外すことなく、緑化構造体１２のメンテナンスを行うことができ、メンテナンス作業を容易にすることができる。
【００５２】
［第２実施の形態］
次に、本発明の第２実施の形態について図４を用いて説明する。
図４は、第２実施の形態における支持体の構成を説明する図である。本実施の形態において特徴的なことは、第１実施の形態における支持体３１の代わりに、それぞれ別個の２つの部材６１、７１によって支持体６０を構成したことである。
【００５３】
支持体６０は、シースルー型太陽光発電パネル４１の一方端部である前端部を支持する前側支持部材（一方端部側支持部材）６１と、シースルー型太陽光発電パネル４１の他方端部である後端部を支持する後側支持部材（他方端部側支持部材）７１とからなる。
【００５４】
前側支持部材６１と後側支持部材７１は、第１実施の形態における固定手段３１の代わりに折板屋根Ｒの上に設けられ、互いに屋根勾配方向に予め設定された距離だけ離れた位置に配置される。
前側支持部材６１は、断面が略Ｌ字形状を有する本体部材６２と、太陽光発電パネル４１の側端辺４１ａの前側部分が固定されるパネル支持部６３を有している。
【００５５】
本体部材６２は、支持体６０を折板屋根Ｒに取り付けた状態で緑化構造体１２よりも上方の高さ位置まで突出する縦壁部６２ａと、縦壁部６２ａの下端で折曲されて側方に突出する基端部６２ｂとからなる断面が略Ｌ字形状を有している。本体部材６２は、屋根勾配方向に沿うように折板屋根Ｒの上に載せて、基端部６２ｂを山形部３の頭頂部２に接面させた状態でボルト固定される。
【００５６】
パネル支持部６３は、屋根横幅方向に離間して設けられた図示していない他の支持体６０のパネル支持部６３と対をなして、シースルー型太陽光発電パネル４１の側端辺４１ａ（図１を参照）の前側部分を支持する構成を有している。
【００５７】
パネル支持部６３は、本体部材６２の縦壁部６２ａに沿って縦壁部６２ａの先端部に設けられており、支持軸６５を介して縦壁部６２ａに回動可能に支持されている。パネル支持部６３は、例えば縦片と横片を有する断面がＬ型のアングル材によって構成されており、シースルー型太陽光発電パネル４１の側端辺４１ａの前側部分に沿う長さを有している。
【００５８】
そして、縦片が本体部材６２の縦壁部６２ａに沿って延在し、横片が縦片の下端から側方（屋根横幅方向）に向かって突出する状態で、縦片の前端部が支持軸６５を介して縦壁部６２ａにピン結合されている。
【００５９】
一方、後側支持部材７１は、折板屋根Ｒの上で且つ前側支持部材６１から屋根勾配方向に沿ってシースルー型太陽光発電パネル４１の長さに相当する分だけ離間した位置に設けられる。後側支持部材７１は、断面が略Ｌ字形状を有する本体部材７２と、太陽光発電パネル４１の側端部の後側部分を載せて支持するパネル支持部７３と、緑化構造体１２の保水排水基盤１３を支持する基盤支持部７４を有している。
【００６０】
本体部材７２は、折板屋根Ｒに取り付けた状態で緑化構造体１２よりも上方の高さ位置まで突出する縦壁部７２ａと、縦壁部７２ａの下端で折曲されて側方に突出する基端部７２ｂとからなる断面が略Ｌ字形状を有している。本体部材７２は、屋根勾配方向に沿うように基端部７２ｂを山形部３の頭頂部２に接面させた状態でボルト固定される。
【００６１】
パネル支持部７３は、屋根横幅方向に離間して設けられた図示していない他の後側支持部材７１のパネル支持部７３と対をなし、縦壁部７２ａの先端部に沿って延在し、縦壁部７２ａから突出している。
【００６２】
従って、シースルー型太陽光パネル４１の側端辺４１ａの前側部分をパネル支持部６３に固定し、シースルー型太陽光パネル４１の側端辺４１ａの後側部分をパネル支持部７３の上に載せることによって、シースルー型太陽光発電パネル４１をセット位置に支持することができる。そして、シースルー型太陽光パネル４１の後側部分を上方に持ち上げることにより揺動させて、メンテナンス位置に支持することができる。
【００６３】
前側支持部材６１の基盤支持部６４および後側支持部材７１の基盤支持部７４は、縦壁部６２ａ、７２ａの略中央高さ位置で本体部材６２、７２の長手方向に沿って延在して設けられており、本体部材６２、７２を折板屋根Ｒに取り付けた状態で保水排水基盤材１３の上面に対向する突出片６４ａ、７４ａを有している。この突出片６４ａ、７４ａと山形部３の頭頂部２との間に保水排水基盤材１３の側端部を上下に挟持することによって、保水排水基盤材１３を折板屋根Ｒの上に固定支持できるようになっている。なお、基盤支持部６４、７４は、本発明の必須の構成要素ではなく、省略することもできる。
【００６４】
上記構成を有する支持体６０によれば、前側支持部材６１と後側支持部材７１とが屋根勾配方向に離間した位置に配置されているので、その間を通して空間部Ａ２の空気を屋根横幅方向に移動させることができる。
【００６５】
尚、本発明は、上述の実施の形態に限定されるものではなく、本発明の趣旨を逸脱しない範囲で種々の変更が可能である。例えば、上述の実施の形態では、折板屋根の上に水平に建物取付構造物を設けた場合を例に説明したが、平滑な屋根の上や屋上でもよく、また、建物の縦壁面に沿って垂直に建物取付構造物を設ける場合についても適用することができる。
【符号の説明】
【００６６】
１  屋根板
１０  建物取付構造物
１１  合成樹脂発泡材
１２  緑化構造体
３１  支持体
３２  本体部材
３２ｃ  開口穴
３３  パネル支持部
３５  支持軸
４１  シースルー型太陽光発電パネル
４２  裏面
５１  散水パイプ
【図１】
2010174439.tif 000003
【図２】
2010174439.tif 000004
【図３】
2010174439.tif 000005
【図４】
2010174439.tif 000006